(57)【要約】      （修正有）【課題】軸受回転時のボールの遅れ進みにより、そのボールから付与される応力の緩和を図ることができるようにした深みぞ玉軸受用の保持器を提供することである。【解決手段】第１分割保持器４１の切欠部と、その第１分割保持器４１の内側に嵌合される第２分割保持器４２の切欠部とでボール収容用のポケット４９を形成し、そのポケット４９を、ボール３１の外周に沿う半円形部を周方向の両端部に有する長円状とし、ボールとポケット４９の周方向両端に形成される周方向のポケット隙間δ１および第１分割保持器４１および第２分割保持器４２を軸方向に連結する連結手段Ｘの係合部に設けられた周方向すきまδ３をボールの動き代として、応力の緩和を図る。【選択図】図２
2014084994.tif 000002
【特許請求の範囲】
【請求項１】
合成樹脂の成形品からなる第１分割保持器と、その第１分割保持器の内側に嵌合される合成樹脂製の第２分割保持器とを有し、その第１分割保持器および第２分割保持器のそれぞれに、第１分割保持器の軸方向の一側面および第２分割保持器の軸方向他側面で開口し、その開口部に対向一対のポケット爪が設けられ、両分割保持器を内外に嵌合する組み合わせた状態でボール保持用のポケットを形成する切欠部を周方向に間隔をおいて設け、前記第１分割保持器と第２分割保持器の相互間に、両分割保持器の嵌合により軸方向に係合して第１分割保持器と第２分割保持器とを軸方向に非分離とする連結手段を設け、その連結手段の係合部間に周方向すきまを設けた深みぞ玉軸受用の保持器において、
前記第１分割保持器の切欠部と第２分割保持器の切欠部で形成されるボール収容用のポケットを、ボールの外周に沿う半円形部を周方向の両端部に有する長円状とし、前記対向一対のポケット爪における先端の対向間隔をボールの直径より小さくしたことを特徴とする深みぞ玉軸受用の保持器。
【請求項２】
前記長円状ポケットとボールとの間で形成される周方向のポケット隙間のすきま量と前記連結手段の係合部間における周方向すきま量の合計がボール径の５％〜３０％の範囲とされた請求項１に記載の深みぞ玉軸受用の保持器。
【請求項３】
前記連結手段が、前記第１分割保持器の隣接するポケットのポケット爪間に内輪外径方向の係合爪を設け、前記第２分割保持器の隣接するポケットのポケット爪間に外輪内径方向の係合爪を設け、前記第１保持器の係合爪を第２分割保持器の外径面に形成された係合凹部に係合し、前記第２保持器の係合爪を第１分割保持器の内径面に形成された係合凹部に係合した構成からなる請求項１又は２に記載の深みぞ玉軸受用の保持器。
【請求項４】
前記合成樹脂が、ポリアミド樹脂、ポリエーテルエーテルケトン樹脂、ポリフェニレンサルファイド樹脂、ポリフタルアミド樹脂、ポリアミドイミド樹脂のいずれか一種からなる請求項１乃至３のいずれか１項に記載の深みぞ玉軸受の保持器。
【請求項５】
内径面に軌道溝が形成された外輪と、外径面に軌道溝が形成された内輪と、外輪の軌道溝と内輪の軌道溝間に組込まれたボールと、そのボールを保持する保持器とからなる深みぞ玉軸受において、前記保持器が、請求項１乃至４のいずれか１項に記載の深みぞ玉軸受。
【発明の詳細な説明】
【技術分野】
【０００１】
この発明は、深みぞ玉軸受のボールを保持する保持器およびその保持器を用いた深みぞ玉軸受に関する。
【背景技術】
【０００２】
インプットシャフトとアウトプットシャフトを同軸上に配置し、その両軸に平行にカウンタシャフトを設け、その平行する２軸の相互間に変速比の異なる複数の歯車式減速部を設けて、インプットシャフトの回転を複数段に変速してアウトプットシャフトから出力するようにしたトランスミッションにおいては、一般的に、歯車式減速部にヘリカルギヤを採用しているため、インプットシャフトからアウトプットシャフトへの回転トルクの伝達時、インプットシャフト、アウトプットシャフトおよびカウンタシャフトのそれぞれにスラスト力が負荷されることになる。
【０００３】
このため、インプットシャフト、アウトプットシャフトおよびカウンタシャフトを支持する軸受には、ラジアル荷重とスラスト荷重の両方の荷重を支持することができる軸受を用いる必要がある。
【０００４】
円すいころ軸受においては、負荷容量が大きく、スラスト荷重およびラジアル荷重の両方を受けることができるため、トランスミッション用軸受に好適である。しかし、円すいころ軸受においては、損失トルクが大きく、燃料の消費量が多くなるという問題が生じる。その低燃費化を図るため、トルク損失の少ない深みぞ玉軸受が使用されるケースが多くなってきている。
【０００５】
ところで、標準の深みぞ玉軸受においては、過大なスラスト荷重が負荷されると、そのスラスト荷重を受ける負荷側軌道輪の肩にボールが乗り上げて、肩のエッジが損傷する懸念がある。
【０００６】
そのような不都合を解消するため、特許文献１に記載された深みぞ玉軸受においては、外輪の軌道溝および内輪の軌道溝のそれぞれ両側に形成された肩のうち、スラスト荷重を受ける側の肩を高くして、ボールの乗り上げを阻止し、軸受の耐久性の低下を抑制して、大きなスラスト荷重を受けることができるようにしている。
【０００７】
ここで、外輪の一側の肩および内輪の他側の肩を高くすると、外輪の肩と内輪の肩の対向面の間隔が標準の深みぞ玉軸受より小さくなるため、ボールを保持する保持器の径方向の幅（厚さ）を小さくする必要が生じ、保持器の耐久性に問題が生じる。
【０００８】
そこで、特許文献１に記載された保持器においては、径の異なる一対の冠形分割保持器を内外に嵌合し、その嵌合する組み合わせ状態でボールを包み込むポケットを形成すると共に、係合爪と係合凹部の係合により一対の冠形分割保持器を軸方向に非分離として、保持器の耐久性の向上を図るようにしている。
【０００９】
上記一対の冠形分割保持器からなる保持器においては、上記のような高スラスト荷重用の深みぞ玉軸受への使用に限定されるものではなく、標準の深みぞ玉軸受にも採用することができる。
【先行技術文献】
【特許文献】
【００１０】
【特許文献１】特開２０１１−７２８６号公報
【発明の概要】
【発明が解決しようとする課題】
【００１１】
ところで、上記特許文献１に記載された深みぞ玉軸受においては、一対の分割保持器を軸方向に非分離とする係合爪と係合凹部間に周方向すきまを設け、その周方向すきまの範囲内における第１分割保持器と第２分割保持器の相対回転により軸受回転時の荷重負荷域に位置するボールと非負荷域に位置するボールの相互間における遅れ進みを吸収するようにしているが、その吸収量が小さく、ボールが保持器の内面に干渉して、隣接するポケット間に形成された柱部および係合部に引張および圧縮の荷重が作用し、保持器が損傷する可能性がある。
【００１２】
また、第１分割保持器と第２分割保持器の相対回転により、第１分割保持器と第２分割保持器とで形成されるポケットすきまが小さくなって、ポケットがボールを挟み込むことになり、その挟み込みにより、ボールは回転が妨げられてボールと転走面との間に滑りが生じ、摩擦力が増加する。
【００１３】
さらに、ボールの滑りにより転走面の油膜切れが発生し、その転走面や転動面にフレーキングが発生するリスクが高くなり、さらには、ボールがポケット内面に対して接触回転するため、ポケット内面が摩耗する可能性がある。
【００１４】
この発明の課題は、軸受回転時のボールの遅れ進みによって保持器の柱部に負荷される応力の緩和を図ることである。
【課題を解決するための手段】
【００１５】
上記の課題を解決するために、この発明に係る深みぞ玉軸受用の保持器においては、合成樹脂の成形品からなる第１分割保持器と、その第１分割保持器の内側に嵌合される合成樹脂製の第２分割保持器とを有し、その第１分割保持器および第２分割保持器のそれぞれに、第１分割保持器の軸方向の一側面および第２分割保持器の軸方向他側面で開口し、その開口部に対向一対のポケット爪が設けられ、両分割保持器を内外に嵌合する組み合わせた状態でボール保持用のポケットを形成する切欠部を周方向に間隔をおいて設け、前記第１分割保持器と第２分割保持器の相互間に、両分割保持器の嵌合により軸方向に係合して第１分割保持器と第２分割保持器とを軸方向に非分離とする連結手段を設け、その連結手段の係合部間に周方向すきまを設けた深みぞ玉軸受用の保持器において、前記第１分割保持器の切欠部と第２分割保持器の切欠部で形成されるボール収容用のポケットを、ボールの外周に沿う半円形部を周方向の両端部に有する長円状とし、前記対向一対のポケット爪における先端の対向間隔をボールの直径より小さくした構成を採用したのである。
【００１６】
また、この発明に係る深みぞ玉軸受においては、内径面に軌道溝が形成された外輪と、外径面に軌道溝が形成された内輪と、外輪の軌道溝と内輪の軌道溝間に組込まれたボールと、そのボールを保持する保持器とからなる深みぞ玉軸受において、前記保持器として、この発明に係る上記構成の保持器を採用したのである。
【００１７】
この発明においては、上記のように、ボール収容用のポケットを、ボールの外周に沿う半円形部を周方向の両端部に有する長円状としたことにより、そのポケットとボール間に軸方向のポケット隙間より大きな周方向のポケット隙間を確保することができる。その周方向のポケット隙間と、第１分割保持器と第２分割保持器とを軸方向に非分離とする連結手段の係合部間に形成された周方向すきまのそれぞれでボールの遅れ進みを吸収することができる。
【００１８】
このため、ボールの遅れ進みの吸収量が大きく、しかも、ポケット内に形成された周方向のポケット隙間がなくなった後にボールが柱部に接触して、その柱部を押圧し、その押圧により第１分割保持器と第２分割保持器とが相対回転して、連結手段の係合部間に形成された周方向すきまが縮小し始めるため、ボールから保持器の柱部に負荷される応力を効果的に緩和することができる。
【００１９】
また、ボールの遅れ進みによる柱部への押圧によって第１分割保持器と第２分割保持器とが相対回転して連結手段の係合部間の周方向すきまがなくなったとしても、ボールとポケットの端面間に周方向のポケット隙間が確保されるため、ボールが挟み込まれて回転が阻害されことはない。このため、摩擦力が増加し、ポケットの内面がボールとの接触によって摩耗するという不都合の発生がない。
【００２０】
ここで、長円状ポケットとボールとの間で形成される周方向のポケット隙間のすきま量と連結手段の係合部間における周方向すきま量の合計がボール径の５％以下ではボールの遅れ進みの吸収量が不足し、また、３０％を超えると、ボールのピッチ誤差が大きくなり過ぎ、振動の増加や最大転動体か荷重が増加し、短寿命になる可能性があるため、ポケットにおける周方向のポケット隙間と連結手段における周方向すきまのすきま量の合計は、ボール径の５％〜３０％の範囲とするのが良い。
【００２１】
第１分割保持器と第２分割保持器を軸方向に連結する連結手段として、第１分割保持器の隣接するポケットのポケット爪間に内輪外径方向に突出する部位を有する係合爪を設け、第２分割保持器の隣接するポケットのポケット爪間に外輪内径方向に突出する部位を有する係合爪を設け、第１保持器の係合爪を第２分割保持器の外径面に形成された係合凹部に係合し、第２保持器の係合爪を第１分割保持器の内径面に形成された係合凹部に係合した構成からなるものを採用することができる。
【００２２】
ここで、深みぞ玉軸受は、オイル潤滑されるため、耐油性および耐久性に優れた合成樹脂で成形するのが好ましい。そのような樹脂として、ポリアミド４６（ＰＡ４６）、ポリアミド６６（ＰＡ６６）、ポリアミド９Ｔ(ＰＡ９Ｔ)、ポリエーテルエーテルケトン樹脂(ＰＥＥＫ)、ポリフェニレンサルファイド樹脂(ＰＰＳ)、ポリフタルアミド樹脂（ＰＰＡ）、ポリアミドイミド樹脂（ＰＡＩ）を挙げることができる。
【発明の効果】
【００２３】
この発明においては、上記のように、第１分割保持器の切欠部と第２分割保持器の切欠部で形成されるボール収容用のポケットを、ボールの外周に沿う半円形部を周方向の両端部に有する長円状としたことにより、ポケットの周方向両端とボール間に軸方向のポケット隙間より大きな周方向のポケット隙間を確保することができ、その周方向のポケット隙間および第１分割保持器と第２分割保持器とを軸方向に非分離とする連結手段の係合部間に形成された周方向すきまのそれぞれでボールの遅れ進みを吸収することができるため、ボールの遅れ進みの吸収量が大きく、ボールから保持器柱部への応力を緩和することができ、第１、第２分割保持器の損傷防止に効果を挙げることができる。
【００２４】
また、ボールの遅れ進みによる柱部への押圧によって第１分割保持器と第２分割保持器とが相対回転して連結手段の係合部間の周方向すきまがなくなったとしても、ボールとポケットの端面間に周方向のポケット隙間が確保されるため、ボールが挟み込まれて回転が阻害されるということはない。このため、摩擦力が増加し、ポケットの内面がボールとの接触によって摩耗するのを効果的に防止することができる。
【図面の簡単な説明】
【００２５】
【図１】この発明に係る深みぞ玉軸受の実施の形態を示す縦断面図
【図２】図１に示す保持器の一部分を示す平面図
【図３】図２のIII−III線に沿った断面図
【図４】図２のIV−IV線に沿った断面図
【図５】第１分割保持器と第２分割保持器の結合前の状態を示す平面図
【発明を実施するための形態】
【００２６】
以下、この発明の実施の形態を図面に基づいて説明する。図１に示すように、深みぞ玉軸受Ａは、外輪１１の内径面に形成された軌道溝１２と内輪２１の外径面に設けられた軌道溝２２間にボール３１を組込み、そのボール３１を保持器４０で保持している。
【００２７】
外輪１１の軌道溝１２の両側に形成された一対の肩１３ａ、１３ｂのうち、軌道溝１２の一側方に位置する肩１３ａの高さは他側方に位置する肩１３ｂの高さよりも高くなっている。一方、内輪２１の軌道溝２２の両側に形成された一対の肩２３ａ、２３ｂのうち、軌道溝２２の他側方に位置する肩２３ｂの高さは一側方に位置する肩２３ａの高さより高くなっている。
【００２８】
ここで、高さの低い肩１３ｂおよび２３ａの肩の高さは、標準型深みぞ玉軸受の肩と同じ高さとしているが、標準型深みぞ玉軸受の肩の高さより低くしてもよい。
【００２９】
なお、説明の都合上、高さの高い肩１３ａ、２３ｂをスラスト負荷側の肩１３ａ、２３ｂといい、高さの低い肩１３ｂ、２３ａをスラスト非負荷側の肩１３ｂ、２３ａという。
【００３０】
スラスト負荷側の肩１３ａ、２３ｂの肩高さをＨ１とし、ボール３１の球径をｄとすると、ボールｄの球径に対する肩高さＨ１の比率Ｈ１／ｄは、０．２５以上０．５未満の範囲とされている。
【００３１】
保持器４０は、第１分割保持器４１と、その第１分割保持器４１の内側に挿入された第２分割保持器４２とからなる。
【００３２】
図５に示すように、第１分割保持器４１は、環状体４３の軸方向一側部に複数の切欠部４４を周方向に間隔をおいて設け、それぞれの切欠部４４における開口部に対向一対のポケット爪４５を設けた冠形をなしており、合成樹脂によって成形されている。
【００３３】
ここで、切欠部４４は、その平面形状において、円弧状部４４ａを周方向の両端部に有し、その円弧状部４４ａの端部間に直線状部４４ｂを設けた平面Ｃ字状をなしており、内面はボール３１の外周に沿う曲面とされている。ｌは、直線状部４４ｂの長さを示している。
【００３４】
また、環状体４３の内径は、図１に示すように、ボール３１のピッチ円径（ＰＣＤ）に略等しく、外径は外輪１１の高さが高い肩１３ａの内径と高さの低い肩１３ｂの内径の範囲内とされて、外輪１１の高さの低い肩１３ｂ側から軸受内に挿入可能とされている。
【００３５】
さらに、対向一対のポケット爪４５における先端の対向間隔Ｌ１は、ボール３１の直径ｄより小さくされている。
【００３６】
一方、第２分割保持器４２は、環状体４６の軸方向他側部に複数の切欠部４７を周方向に間隔をおいて設け、それぞれの切欠部４７における開口部に対向一対のポケット爪４８を設けた冠形をなし、合成樹脂によって成形されている。
【００３７】
ここで、切欠部４７は、第１分割保持器４１の切欠部４４と同様に、その平面形状において、円弧状部４７ａを周方向の両端部に有し、その円弧状部４７ａの端部間に直線状部４７ｂを設けた平面Ｃ字状をなしており、内面はボール３１の外周に沿う曲面とされている。
【００３８】
また、環状体４６の外径は、図１に示すように、ボール３１のピッチ円径（ＰＣＤ）に略等しく、内径は内輪２１の高さの高い肩２３ｂの外径と高さの低い肩２３ａの外径の範囲内とされている。この第２分割保持器４２は、高さの低い肩２３ａ側から軸受内に挿入可能とされ、かつ、第１分割保持器４１の内側に嵌合可能とされている。
【００３９】
さらに、対向一対のポケット爪４８における先端の対向間隔Ｌ２は、ボール３１の直径ｄより小さくされている。
【００４０】
第１分割保持器４１の切欠部４４と第２分割保持器４２の切欠部４７は、図２および図３に示すように、第１分割保持器４１と第２分割保持器４２を内外に嵌め合わせて保持器４０を形成する状態でボール３１を包み込む長円状のポケット４９を形成するようになっており、そのポケット４９の周方向両端の半円形部４９ａの半径Ｒは、ボール３１の半径（ｄ／２）より大きな設定となっている。また、ポケット４９の周方向両端とボール３１との間に形成される周方向のポケット隙間δ１は軸方向のポケット隙間δ２より大きな設定となっており、その周方向のポケット隙間δ１の範囲内でボール３１は移動し得るようになっている。
【００４１】
図２および図３に示すように、第１分割保持器４１と第２分割保持器４２の相互間には、内外に嵌り合って保持器４０を形成する嵌合状態において軸方向に非分離とする連結手段Ｘが設けられている。
【００４２】
連結手段Ｘは、第１分割保持器４１の隣接する切欠部４４間に形成された柱部４３ａの先端に内向きの係合爪５１を設け、かつ、環状体４３の内径面に上記係合爪５１と同一軸線上に溝状の係合凹部５２を形成し、第２分割保持器４２の隣接する切欠部４７間に形成された柱部４６ａの先端に外向きの係合爪５３を設け、かつ、環状体４８の外径面に上記係合爪５３と同一軸線上に係合凹部５４を形成し、第１分割保持器４１の係合爪５１と第２分割保持器４２の係合凹部５４の係合、および、第２分割保持器４２の係合爪５３と第１分割保持器４１の係合凹部５２の係合によって、第１分割保持器４１と第２分割保持器４２とを軸方向に非分離とする構成とされている。
【００４３】
ここで、係合爪５１と係合凹部５４の係合部間および係合爪５３と係合凹部５２の係合部間には周方向すきまδ３が形成され、その周方向すきまδ３は周方向のポケット隙間δ１より小さくなっている。この周方向すきまδ３と周方向のポケット隙間δ１のすきま量の合計がボール径ｄの５％以下ではボール３１の遅れ進みの吸収量が不足し、また、３０％を超えると、ボール３１のピッチ誤差が大きくなり過ぎ、振動の増加や最大転動体か荷重が増加し、短寿命になる可能性があるため、ポケット隙間δ１と周方向すきまδ３のすきま量の合計は、ボール径の５％〜３０％の範囲としている。
【００４４】
第１分割保持器４１および第２分割保持器４２は、深みぞ玉軸受を潤滑する潤滑油に曝されるため、耐油性に優れた合成樹脂を用いるようにする。そのような合成樹脂として、ポリアミド４６（ＰＡ４６）、ポリアミド６６（ＰＡ６６）、ポリアミド９Ｔ(ＰＡ９Ｔ)、ポリエーテルエーテルケトン樹脂(ＰＥＥＫ)、ポリフェニレンサルファイド樹脂(ＰＰＳ)、ポリフタルアミド樹脂（ＰＰＡ）、ポリアミドイミド樹脂（ＰＡＩ）を挙げることができる。これらの樹脂は、潤滑油の種類に応じて適切なものを選択して使用すればよい。
【００４５】
実施の形態で示す深みぞ玉軸受は上記の構造からなり、その深みぞ玉軸受の組立てに際しては、外輪１１の内側に内輪２１を挿入し、その内輪２１の軌道溝２２と外輪１１の軌道溝１２間に所要数のボール３１を組込む。
【００４６】
このとき、内輪２１を外輪１１に対して径方向にオフセットして、内輪２１の外径面の一部を外輪１１の内径面の一部に当接して、その当接部位から周方向に１８０度ずれた位置に三日月形の空間を形成し、その空間の一側方から内部にボール３１を組込むようにする。
【００４７】
そのボール３１の組込みに際して、外輪１１のスラスト負荷側の肩１３ａや内輪２１のスラスト負荷側の肩２３ｂの肩高さＨ１が必要以上に高い場合には、ボール３１の組込みを阻害することになるが、実施の形態では、ボール３１の球径ｄに対する肩高さＨ１の比率Ｈ１／ｄが、０．５未満とされているため、外輪１１と内輪２１間にボール３１を確実に組込むことができる。
【００４８】
ボール３１の組込み後、内輪２１の中心を外輪１１の中心に一致させてボール３１を周方向に等間隔に配置し、外輪１１のスラスト非負荷側の肩１３ｂの一側方から外輪１１と内輪２１間に第１分割保持器４１を、その第１分割保持器４１に形成された切欠部４７内にボール３１が嵌り込むようにして挿入する。
【００４９】
また、内輪２１のスラスト非負荷側の肩２３ａの一側方から外輪１１と内輪２１間に第２分割保持器４２を、その第２分割保持器４２に形成された切欠部４７内にボール３１が嵌り込むように挿入して、第１分割保持器４１内に第２分割保持器４２を嵌合する。
【００５０】
上記のように、第１分割保持器４１内に第２分割保持器４２を嵌合することにより、図２および図３に示すように、第１分割保持器４１に形成された係合爪５１が第２分割保持器４２に設けられた係合凹部５４に係合し、また、第２分割保持器４２に形成された係合爪５３が第１分割保持器４１に設けられた係合凹部５２に係合して、深みぞ玉軸受の組立てが完了する。
【００５１】
上記のような深みぞ玉軸受の組立てにより、第１分割保持器４１に形成された切欠部４４と第２分割保持器４２に形成された切欠部４７は、図２に示すように、長円状のポケット４９を形成し、そのポケット４９の周方向の両端とボール３１間に、軸方向のポケット隙間δ２より大きな周方向のポケット隙間δ１が確保されることになる。
【００５２】
このため、軸受の回転時に負荷領域のボール３１と非負荷領域のボール３１に遅れ進みが生じた場合に、ボール３１は周方向のポケット隙間δ１と連結手段Ｘに形成された周方向すきまδ３の範囲内で移動し、その周方向のポケット隙間δ１と周方向すきまδ３のすきま量の合計がボール３１の動き代となる。
【００５３】
したがって、ボール３１の遅れ進みの吸収量が大きく、しかも、ポケット４９内に形成された周方向のポケット隙間δ１がなくなった後にボール３１が柱部４３ａ、４６ａと接触して、その柱部４３ａ、４６ａを押圧することになる。その押圧により第１分割保持器４１と第２分割保持器４２とが相対回転して、連結手段Ｘの係合部間に形成された周方向すきまδ３が縮小し始めるため、ボール３１から第１分割保持器４１および第２分割保持器４２の柱部４３ａ、４６ａに負荷される応力は効果的に緩和されることになる。
【００５４】
なお、第１分割保持器４１と第２分割保持器４２が相対回転するのに必要な力は、ボール３１の遅れ進みにより、ボール３１が保持器のポケットを周方向に押圧した場合に初めて動く程度に設定されていることが好ましい。具体的には、第１分割保持器４１の内径と第２分割保持器４２の外径を適宜調整することで、ボール３１が存在しない状態で第１分割保持器４１と第２分割保持器４２を相対回転させた時に摩擦力が発生する程度のシメシロを有する寸法としておくとよい。
【００５５】
また、ボール３１の遅れ進みによる柱部４３ａ、４６ａへの押圧によって第１分割保持器４１と第２分割保持器４２とが相対回転して連結手段Ｘの係合部間の周方向すきまδ３がなくなったとしても、ボール３１とポケット４９の端面間に周方向のポケット隙間δ１が確保されるため、ボール３１が挟み込まれて回転が阻害されことはない。このため、摩擦力が増加し、ポケット４９の内面がボール３１との接触によって摩耗するという不都合の発生ない。
【００５６】
さらに、ポケット４９の周方向両端の半円形部４９ａの半径Ｒは、ボール３１の半径（ｄ／２）より大きくされているため、遅れ進みによってボール３１が周方向に移動しても、ポケット４９の軸方向で対向する一対の側面はボール３１で押圧されるようなことがなく、第１分割保持器４１と第２分割保持器４２を連結状態に保持する連結手段Ｘに連結を解除する方向の分力が付与されることはない。
【００５７】
このため、ボール３１の遅れ進みによって第１分割保持器４１と第２分割保持器４２が連結解除されるということがなく、また、振動等により第１分割保持器４１と第２分割保持器４２に軸方向の応力が付与されると、ポケット爪４５、４８がボール３１の外周に係合するため、第１分割保持器４１と第２分割保持器４２の脱落を効果的に防止することができる。
【００５８】
図１では、高さの低いスラスト非負荷側の肩１３ｂおよび２３ａの高さを標準型深みぞ玉軸受の肩と同じ高さとしたが、標準型深みぞ玉軸受の肩の高さより低くしてもよい。
【００５９】
スラスト非負荷側の肩１３ｂおよび２３ａの高さを標準型深みぞ玉軸受の肩の高さより低くすると、低くした分、第１分割保持器４１および第２分割保持器４２の径方向の厚みを厚くすることができるため、保持器４０の強度を高めることができる。
【００６０】
実施の形態においては、一対の冠形分割保持器４１、４２によって形成される保持器４０を高スラスト荷重用の深みぞ玉軸受に使用した例を示したが、標準の深みぞ玉軸受に採用してもよい。
【符号の説明】
【００６１】
１１    外輪
１２    軌道溝
２１    内輪
２２    軌道溝
３１    ボール
４０    保持器
４１    第１分割保持器
４２    第２分割保持器
４４    切欠部
４５    ポケット爪
４７    切欠部
４８    ポケット爪
４９    ポケット
Ｘ      連結手段
５１    係合爪
５２    係合凹部
５３    係合爪
５４    係合凹部
δ１    周方向のポケット隙間
δ３    周方向すきま
【図１】
2014084994.tif 000003
【図２】
2014084994.tif 000004
【図３】
2014084994.tif 000005
【図４】
2014084994.tif 000006
【図５】
2014084994.tif 000007